(57)【特許請求の範囲】
【請求項１】
送風機が送風する空気を吹出口へ通流する通流路を形成する壁の外側に着脱自在に帯電粒子発生器を装着してあり、該帯電粒子発生器が発生した帯電粒子を、前記送風機が送風する空気とともに前記吹出口から吹出すようになしてある空気調和装置において、
前記帯電粒子発生器の一側面の縁部に係止する係止突部を有しており、前記壁に固定してある可撓片と、
前記壁に固定してあり、前記一側面と反対側の側面に当接する当接部と
を備え、
前記可撓片及び前記当接部により前記帯電粒子発生器を挟持してあり、
前記帯電粒子発生器は、前記一側面の縁部に、硬貨の周縁部の段差と係合させて前記帯電粒子発生器を抜脱する外力を加えるための凸状の引掛部を備える
ことを特徴とする空気調和装置。
【請求項２】
前記一側面に対向する位置に配してあり、前記送風機の動作を制御する制御回路と、
前記一側面に対向し、該制御回路及び前記帯電粒子発生器を仕切る仕切壁と
を備え、
該仕切壁に円弧状の側面を有する凹部を前記引掛部に対向して形成してあることを特徴とする請求項１に記載の空気調和装置。
【請求項３】
送風機が送風する空気を吹出口へ通流する通流路を形成する壁の外側に着脱自在に帯電粒子発生器を装着してあり、該帯電粒子発生器が発生した帯電粒子を、前記送風機が送風する空気とともに前記吹出口から吹出すようになしてある空気調和装置において、
前記帯電粒子発生器の一側面の縁部に係止する係止突部を有しており、前記壁に固定してある可撓片と、
前記壁に固定してあり、前記一側面と反対側の側面に当接する当接部と
前記一側面に対向する位置に配してあり、前記送風機の動作を制御する制御回路と、
前記一側面に対向し、該制御回路及び前記帯電粒子発生器を仕切る仕切壁と
を備え、
前記可撓片及び前記当接部により前記帯電粒子発生器を挟持してあり、
前記帯電粒子発生器は、前記一側面の縁部に、該帯電粒子発生器を抜脱する外力を加えるための凸状の引掛部を備え、
前記仕切壁に円弧状の側面を有する凹部を前記引掛部に対向して形成してある
ことを特徴とする空気調和装置。
【発明の詳細な説明】
【技術分野】
【０００１】
本発明は、吸い込んだ空気を帯電粒子とともに吹き出す空気調和装置に関する。
【背景技術】
【０００２】
室内の空気には、塵埃、花粉、タバコの煙、呼気等のように、人体に不快又は有毒とされる様々な物質が含まれており、これらの物質を除去して空気を浄化するために帯電粒子を発生させる空気調和装置が種々提案されている。
【０００３】
一般的に、帯電粒子を発生させる空気調和装置は、プラスイオンであるＨ+ （Ｈ2 Ｏ）n （ｎは自然数）及びマイナスイオンであるＯ2 - （Ｈ2 Ｏ）m （ｍは自然数）を発生するイオン発生器を備え、吸い込んだ空気とともにイオンを吹き出し、空気中を浮遊するカビ及び細菌等を不活性化する。
【０００４】
特許文献１には、車輌用に改良した空気調和装置が記載されている。この空気調和装置は、前側筐体、後側筐体、支持板、イオン発生器、制御基板、表示基板、電源基板及び送風機を備える。この空気調和装置は、組み合わせた状態で有底円筒状をなす前側筐体及び後側筐体の内部に、他の部品を組み込んで構成してある。装置の組み立て方は、まず、イオン発生器と制御基板とを接続し、さらに制御基板と、表示基板及び電源基板とを接続線で各々接続した後、表示基板、電源基板及び送風機を支持板上の夫々の取付位置に取り付ける。
【０００５】
次に、支持板をイオン発生器の放電面が支持板の開口部から露出するように前側筐体に装着する。その後、後側筐体を前側筐体に貼り合わせる。続いて、後側筐体のプラグ差込口に電源コードの一端を差し込み、後側筐体に設けてある開口に蓋体を被せて組み立てが完了する。
【０００６】
この空気調和装置では、有底円筒状の円筒部分の外径が車輌に設けてある飲料容器ホルダに納まる寸法としてあり、車輌の座席空間内での設置が容易に行えるというものである。また、イオン発生器内の昇圧コイルの周囲をシールド部材で覆うことにより、電磁ノイズの放出を抑制してあり、車載機器への電磁干渉が低減してあるというものである。
【先行技術文献】
【特許文献】
【０００７】
【特許文献１】特開２００５−０９６４９９号公報
【発明の概要】
【発明が解決しようとする課題】
【０００８】
しかしながら、特許文献１に記載の従来の空気調和装置では、内部に装着したイオン発生器を取り外そうとすると、前側筐体と後側筐体とを分離し、前側筐体内に装着した支持板を取り外す必要があり、非常に手間がかかるとともに、制御基板、表示基板、電源基板及び送風機が露出してしまうという問題点があった。昨今では、イオン発生器がコンパクト化し、低価格で提供されるため、古くなったイオン発生器を交換し、空気調和装置を長く使用したいというユーザ要求があるところ、従来の空気調和装置では、空気調和装置の交換作業に時間がかかる。また、交換作業中の取り扱いによっては、露出した制御基板等の基板上の回路を破損したり、再組み立てが十分でなく、内部に機械的なガタが生じ、車輌走行中の振動によって電気的な接続が瞬断し、装置の動作が不安定になってしまうことも起こり得る。
【０００９】
また、空気調和装置からイオン発生器を取り外し、新たなイオン発生器を取り付けるために分解及び組立作業をしているときに、電源コードが差込口に差し込まれたままになっていると、誤って操作ボタンが押されてしまった場合に、作業中であるにも関わらずイオンが発生してしまうという問題点もあった。
【００１０】
本発明は斯かる事情に鑑みてなされたものであり、その目的とするところは、帯電粒子発生器の着脱が容易かつ確実に行える空気調和装置を提供することにある。
【課題を解決するための手段】
【００１１】
本発明に係る空気調和装置は、送風機が送風する空気を吹出口へ通流する通流路を形成する壁の外側に着脱自在に帯電粒子発生器を装着してあり、該帯電粒子発生器が発生した帯電粒子を、前記送風機が送風する空気とともに前記吹出口から吹出すようになしてある空気調和装置において、前記帯電粒子発生器の一側面の縁部に係止する係止突部を有しており、前記壁に固定してある可撓片と、前記壁に固定してあり、前記一側面と反対側の側面に当接する当接部とを備え、前記可撓片及び前記当接部により前記帯電粒子発生器を挟持してあり、前記帯電粒子発生器は、前記一側面の縁部に、硬貨の周縁部の段差と係合させて前記帯電粒子発生器を抜脱する外力を加えるための凸状の引掛部を備えることを特徴とする。
【００１２】
本発明に係る空気調和装置は、前記一側面に対向する位置に配してあり、前記送風機の動作を制御する制御回路と、前記一側面に対向し、該制御回路及び前記帯電粒子発生器を仕切る仕切壁とを備え、該仕切壁に円弧状の側面を有する凹部を前記引掛部に対向して形成してあることを特徴とする。
【００１３】
本発明に係る空気調和装置は、送風機が送風する空気を吹出口へ通流する通流路を形成する壁の外側に着脱自在に帯電粒子発生器を装着してあり、該帯電粒子発生器が発生した帯電粒子を、前記送風機が送風する空気とともに前記吹出口から吹出すようになしてある空気調和装置において、前記帯電粒子発生器の一側面の縁部に係止する係止突部を有しており、前記壁に固定してある可撓片と、前記壁に固定してあり、前記一側面と反対側の側面に当接する当接部と前記一側面に対向する位置に配してあり、前記送風機の動作を制御する制御回路と、前記一側面に対向し、該制御回路及び前記帯電粒子発生器を仕切る仕切壁とを備え、前記可撓片及び前記当接部により前記帯電粒子発生器を挟持してあり、前記帯電粒子発生器は、前記一側面の縁部に、該帯電粒子発生器を抜脱する外力を加えるための凸状の引掛部を備え、前記仕切壁に円弧状の側面を有する凹部を前記引掛部に対向して形成してあることを特徴とする。
【００１４】
本発明にあっては、帯電粒子発生器が略直方体状をなし、通流路を形成する壁に固定してある可撓片が帯電粒子発生器の一側面の縁部に係止する係止突部を有し、当接部は、帯電粒子発生器の一側面と反対側の側面に当接し、可撓片及び当接部によって帯電粒子発生器を挟持してある。これにより、帯電粒子発生器の装着を容易かつ確実に行うことができる。
【００１５】
本発明にあっては、帯電粒子発生器を抜脱する外力を加えるための凸状の引掛部を帯電粒子発生器の一側面の縁部に備える。これにより、引掛部により、空気調和装置の抜脱を容易に行うことができる。
【００１６】
本発明にあっては、送風機の動作を制御する制御回路が、帯電粒子発生器の一側面に対向する位置に配してあり、一側面に対向する仕切壁により、制御回路及び帯電粒子発生器を仕切る。仕切壁に円弧状の側面を有する凹部を引掛部に対向して形成してある。これにより、帯電粒子発生器の一側面と仕切壁とが近接する場合も、凹部に例えば１０円玉又は１００円玉等の硬貨を挿入して、引掛部に帯電粒子発生器を引き出す方向に力を加えて抜脱することができる。
【発明の効果】
【００１７】
本発明によれば、帯電粒子発生器が略直方体状をなし、通流路を形成する壁に固定してある可撓片が帯電粒子発生器の一側面の縁部に係止する係止突部を有し、当接部は、帯電粒子発生器の一側面と反対側の側面に当接し、可撓片及び当接部によって帯電粒子発生器を挟持してあるので、帯電粒子発生器の装着を容易かつ確実に行うことができる。
【図面の簡単な説明】
【００１８】
【図１】本発明の実施の形態に係る空気調和装置を車輌の座席空間内の飲料容器ホルダに収容した状態について説明するための模式図である。
【図２】空気調和装置の正面側の外観を示す斜視図である。
【図３】空気調和装置の背面側の外観を示す斜視図である。
【図４】空気調和装置の側断面図である。
【図５】イオン発生器の外観を示す斜視図である。
【図６】後筐体を取り外した状態の空気調和装置を背面下方から見た外観を示す斜視図である。
【図７】イオン発生器を装着する前の状態を示す装着部の断面図である。
【図８】イオン発生器の装着途中の状態を示す装着部の断面図である。
【図９】イオン発生器の装着後の状態を示す装着部の断面図である。
【図１０】イオン発生器を抜脱する前の状態を示す装着部の断面図である。
【図１１】イオン発生器の抜脱途中の状態を示す装着部の断面図である。
【図１２】後筐体を取り外した状態の空気調和装置を背面上方から見た外観を示す斜視図である。
【発明を実施するための形態】
【００１９】
以下、本発明に係る空気調和装置の実施の形態を図面に基づいて説明する。
【００２０】
図１は、本発明の実施の形態に係る空気調和装置１を車輌の座席空間内の飲料容器ホルダ９０に収容した状態について説明するための模式図である。図２は、空気調和装置１の正面側の外観を示す斜視図、図３は、空気調和装置１の背面側の外観を示す斜視図、図４は、空気調和装置１の側断面図である。図４において、紙面左側は空気調和装置１の正面側（前側）、紙面右側は空気調和装置１の背面側（後側）であり、紙面垂直方向は空気調和装置１の左右方向である。
【００２１】
本実施形態の空気調和装置１は、外部から吸い込んだ空気とともに、正イオン及び負イオン（以下、正負イオンという）を外部へ吹き出す機能を有し、吹き出した正負イオンによって車輌の座席空間を清浄化する。本実施形態の空気調和装置１は、外形が略円柱状をなし、下部の外径寸法が飲料容器ホルダ９０の内径より小さくしてあり、飲料容器ホルダ９０に収容することができる。空気調和装置１の配置場所は、図１に示す位置に限られず、飲料容器ホルダ９０を設置できる場所であれば、例えば、運転席と助手席との間の小さなラゲッジスペースや後部座席の飲料用ボックスなどでもよい。ただし、図１に示す設置場所では、車内の飲料容器ホルダ９０が、車載の空気調和機の吹出口９１よりも下方に位置しており、空気調和装置１から吹き出された空気が、吹出口９１から吹き出された空気と合流するため、イオンが座席空間内に拡散しやすい。また、空気調和装置１は、シガレットライター用電源９２に電源コード８を接続することにより駆動電力を得る。なお、空気調和装置１は電池によって駆動するものであってもよい
【００２２】
空気調和装置１は、筐体６、送風機２、通流部３、及びイオン発生器（帯電粒子発生器）４、電源用のレセプタクル７３等を備える。筐体６は、縦型で有底円筒状をなし、円筒半割形状の前筐体６１及び後筐体６２、円形板状の底板６４、並びに円形板状の天蓋６３を備え、中段部分から上部へ膨らみを持たせることにより、底部の外径に対し上部の外径がやや大きい形状としてある。底部の外径は、上述のとおり、車内の飲料容器ホルダ９０に収容できる寸法としてある。後筐体６２は、下部に空気を吸い込むための吸込口６２ａが設けてあり、天蓋６３には、操作ボタン７１、及び空気を吹き出すための吹出口６３ａが設けてある。
【００２３】
前筐体６１の内周面には、銅等の導電シート６１ｂが貼り付けてあり、同様に後筐体６２の内周面にも導電シート６２ｂが貼り付けてある。導電シート６１ｂと導電シート６２ｂとは、前筐体６１及び後筐体６２の合せ面で突き当たるか、又は若干の隙間ができる程度に配置してあり、イオン発生器４の周囲を囲むことにより、イオン発生器４で発生する電磁ノイズが外部（特に水平方向）へ放射されるのを防ぐ。
【００２４】
送風機２は、円筒形状をなし、回転軸が左右となるように配される羽根車２１及び該羽
根車２１を回転自在に収容してあるケーシング２２を有する遠心形である。羽根車２１は、外縁に対し回転中心側が回転方向へ変位する複数の羽根を有する多翼羽根車、換言すると円筒形状をなすシロッコファンであり、一端に軸受板を有し、該軸受板の中心に開設されている軸孔にモータ２３の出力軸が取り付けられる。羽根車２１は、他端または両端の開口から中心部の空洞へ吸込んだ空気を外周部の羽根の間から放出するように構成されている。
【００２５】
ケーシング２２は、羽根車２１の回転により発生する気流を羽根車２１の回転方向へ誘導し、気流の速度を増すための円弧形誘導壁２２ａと、該円弧形誘導壁２２ａの一部から円弧形誘導壁２２ａの接線方向の一方へ上向きに開放された送風口２２ｂとを有する。送風口２２ｂは円弧形誘導壁２２ａの一部から円弧形誘導壁２２ａの接線方向の一方へ突出する角筒形状をなしている。なお、送風機２は、羽根車２１の前記開口と対応する箇所が開放された側板を備えている。
【００２６】
通流部３は、その下端が送風口２２ｂに連なり、その上端が吹出口６３ａへ連なる筒形をなす。通流部３は、送風口２２ｂの一側から円弧形誘導壁２２ａの接線方向の一方に延在し、前筐体６１の内側面の一部を臨む前側壁３１と、送風口２２ｂの他側から前側壁３１に対向して配してある後側壁３２とを有する。前側壁３１及び後側壁３２の左右の縁は直接接合されるか、又は側板に接合されている。送風口２２ｂから送風された空気は、前側壁３１及び後側壁３２に沿って層流になるように誘導される。また、後側壁３２にはイオン発生器４のイオン発生部４１を流路に突出させるための開口３２ａが設けてあり、後側壁３２の外面にイオン発生器４が取り付けられている。
【００２７】
イオン発生器４は、通流部３の後側壁３２の外面に設けられた装着部５に着脱自在に装着されている。図５は、イオン発生器４の外観を示す斜視図である。イオン発生器４は、針状の放電電極及び該放電電極に対向配置された誘導電極からなるイオン発生部４１を有し、高電圧を印加された放電電極がコロナ放電を起こして正負イオンを発生させる。イオン発生器４の放電電極は、下流部１３に突出しており、発生した正負イオンは、下流部１３を通流する空気中に浮遊し、吹出口６３ａから空気とともに外部に吹き出される。吹出口６３ａを介して吹き出された正負イオンは、菌類、ウィルス、及びアレルゲン等を死滅又は不活性化させ、悪臭の原因となる物質（例えばアセトアルデヒドのような有機化合物）を分解する。
【００２８】
イオン発生器４は、略直方体状をなし、装着部５に固定する螺子４５を挿通する貫通孔４２、イオン発生器４を抜脱するための引掛部４３、及び電力を供給する端子４４を備える。引掛部４３は、イオン発生器４の上面の縁部中央から上方へ突起している。貫通孔４２は、後側壁３２に対向する面の中央やや下方よりに設けてある。端子４４は、下面に設けてある。
【００２９】
螺子４５の頭には溝４５ａが形成してある。溝４５ａは、両端が浅く中央が深い円弧状にしてあり、円盤形の部材、例えば１０円玉や１００円玉等の硬貨の周縁部分を溝４５ａに挿入して、螺子４５を簡単に回転させることができるようにしてある。螺子４５は、後側壁３２から下流部１３に突起するボス３２ｂに設けた螺子穴に螺合する。
【００３０】
装着部５は、後側壁３２の一部、及び、後側壁３２から後方に延在し、装着したイオン発生器４の上下左右を囲繞する囲繞壁により形成してある。囲繞壁は、イオン発生器４の下面に当接する当接部分及び該当接部から上方に段差を持って後筐体６２まで延在する部分を有する下部側壁５１、上面に対向する上部側壁５２、及び左右の面に対向する左右側壁５３，５３よりなる。図６は、後筐体６２を取り外した状態の空気調和装置１を背面下方から見た外観を示す斜視図である。イオン発生器４は、下部側壁５１、上部側壁５２、及び左右側壁５３，５３の後方端部による開口を通じて出し入れする。また、イオン発生器４を固定する螺子４５の頭が、下部側壁５１、上部側壁５２、及び左右側壁５３，５３の壁面を臨むように配してある。
【００３１】
上部側壁５２とイオン発生器４の上面との間には、左右に可撓片５４，５４が後側壁３２から後方へ延伸して設けてある。イオン発生器４は、下面が下部側壁５１に当接し、上面縁部に可撓片５４，５４が係止し、下部側壁５１及び可撓片５４，５４により挟持される。また、上部側壁５２中央には、上方へ穿ち前方側面が円弧状の凹部５５が引掛部４３と対向して設けてある。凹部５５の後方は開放されており、例えば１０円玉や１００円玉等の硬貨を、上部側壁５２と平行に後方から挿入することができる。挿入した硬貨の周縁部の段差にイオン発生器４の引掛部４３を引っ掛け、イオン発生器４を後方へ引き出す。イオン発生器４の上方には、イオン発生器４の上面に対向して、送風機２を制御する制御回路７２が配してあり、上部側壁５２は、イオン発生器４及び制御回路７２を仕切る。
【００３２】
下部側壁５１の壁面（即ち、囲繞壁の周面）には、送風機３及びイオン発生器４に電力を供給する電源コード８に接続されているプラグ８１が接続されるレセプタクル７３の差込口を設けてある。プラグ８１は、レセプタクル７３に接続した状態で、壁面から突起する。電源コード８は、前筐体６１と後筐体６２の合せ面に設けた切欠部（図示略）から外部へ引き出してある。
【００３３】
以上のように構成された空気調和装置１は、送風機２の羽根車２１がモータ２３の駆動により回転することで、図４中の白抜き矢印のように、後筐体６２の吸込口６２ａから内部後壁６５の吸込口６５ａを経て上流部１１に後方外部の空気を吸い込み、羽根車３１を介して中流部１２へ空気を通流し、下流部１３を経て吹出口６３ａから外部へ吹き出す。
【００３４】
イオン発生器４は装着部５に着脱自在に装着されており、長時間使用したものについては、新たなイオン発生器４に交換することができる。図７は、イオン発生器４を装着する前の状態を示す装着部５の断面図、図８はイオン発生器４の装着途中の状態を示す装着部５の断面図、図９はイオン発生器４の装着後の状態を示す装着部５の断面図である。
【００３５】
まず、イオン発生器４の装着について説明する。イオン発生器４は、下部側壁５１、上部側壁５２、及び左右側壁５３，５３の後方端部による開口から、やや後方に傾けた状態で挿入する。イオン発生器４の下部を下部側壁５１の段差５１ｂに落とし込み、イオン発生器４の上部を前方へ押し込んでいく（図８参照）。可撓片５４，５４の先端に設けた角錐台形状の係止突部５４ｂと、イオン発生器４の上面４ｃの前側縁部が当接し、さらにイオン発生器４を前方へ押し込んでいくと、係止突部５４ｂがイオン発生器４の上面４ｃの前側縁部を通過し、イオン発生部４１が開口３２ｂに挿入される。
【００３６】
さらにイオン発生器４を前方へ押し込んでいくと、装着部５の端面５ｂ（後側壁３２の外面）にイオン発生器４の前面４ｂが当接し、下部側壁５１の内壁面５１ａにイオン発生器４の下面４ａが当接する。可撓片５４，５４の腹部５４ａ，５４ａにイオン発生器４の上面４ｃが当接し、また、可撓片５４，５４の係止突部５４ｂがイオン発生器４の上面４ｃの後方縁部に係止する（図９参照）。後方から螺子４５を貫通孔４２に挿通して螺子止めすることにより、イオン発生器４の装着が完了する。
【００３７】
次にイオン発生器４の抜脱について説明する。図１０は、イオン発生器４を抜脱する前の状態を示す装着部５の断面図、図１１はイオン発生器４の抜脱途中の状態を示す装着部５の断面図である。
【００３８】
まず、螺子４５の溝４５ａに１０円玉や１００円玉等の硬貨４６を挿入して、硬貨４６を回して螺子４５を取り外す。次に、硬貨４６を、上部側壁５２と平行に凹部５５へ後方から挿入する。挿入した硬貨４６の周縁部の段差をイオン発生器４の引掛部４３に引っ掛け後方へ引き出す力を加える。上述のように、イオン発生器４の上面４ｃの後方縁部には可撓片５４，５４の係止突部５４ｂが係止しているが、引き出す力を強くしていくと、係止突部５４ｂの係止が外れ、イオン発生器４が後方へずれる（図１１参照）。さらにイオン発生器４が後方へ倒れるように硬貨４６に力を加えると、イオン発生器４の上部が装着部５の開口付近まで移動するので、イオン発生器４の上部、又は左右を指で摘んで抜脱する。
【００３９】
図１２は、後筐体６２を取り外した状態の空気調和装置１を背面上方から見た外観を示す斜視図である。下部側壁５１の壁面には、プラグ８１を差し込むレセプタクル７３の差込口が設けてあり、差込口に上方からプラグ８１を差し込んで接続する。プラグ８１は、レセプタクル７３に接続した状態で、下部側壁５１の壁面から突出した状態となる。また、螺子４５の頭は、下部側壁５１の壁面を臨むように配置してあるので、螺子４５の頭がプラグ８１と対向し、プラグ８１をレセプタクル７３に接続した状態では、螺子４５を上述のように硬貨４６で回すことができない。
【００４０】
したがって、イオン発生器４を抜脱する際には、プラグ８１をレセプタクル７３から取り外してから、抜脱作業を行うことになる。また、イオン発生器４を装着する際にも、プラグ８１がレセプタクル７３に接続されているとプラグ８１が邪魔になって、イオン発生器４を囲繞壁の後方端部の開口から装着部５へ入れ難くしてある。
【００４１】
以上のように、本実施形態においては、イオン発生器４が略直方体状をなし、通流路を形成する後側壁３２に固定してある可撓片５４，５４がイオン発生器４の上面４ｃの縁部に係止する係止突部５４ｂ，５４ｂを有する。下部側壁５１の内壁面５１ａは、イオン発生器４の下面４ａに当接する。可撓片５４，５４及び下部側壁５１によってイオン発生器４を挟持してある。これにより、イオン発生器４の装着を容易かつ確実に行うことができる。
【００４２】
また、本実施形態においては、イオン発生器４を抜脱する外力を加えるための凸状の引掛部４３がイオン発生器４の上面４ｃの端部中央に設けてある。これにより、引掛部４３により、イオン発生器４の抜脱を容易に行うことができる。
【００４３】
また、本実施形態においては、送風機２の動作を制御する制御回路７２が、イオン発生器４の上面４ｃに対向する位置（即ち、上方）に配してあり、上面４ｃに対向する上部側壁５２により、制御回路７２及びイオン発生器４を仕切る。上部側壁５２に円弧状の側面を有する凹部５５を引掛部４３に対向して形成してある。これにより、イオン発生器４の上面４ｃと上部側壁５２とが近接する場合も、凹部５５に例えば１０円玉又は１００円玉等の硬貨４６を挿入して、引掛部４３にイオン発生器４を引き出す方向に力を加えて抜脱することができる。
【００４４】
また、本実施形態においては、イオン発生器４は、通流路を形成する後側壁３２の外側に着脱自在に装着してあり、イオン発生器４を出し入れする開口を有する囲繞壁（下部側壁５１、上部側壁５２、左右側壁５３，５３よりなる）により、イオン発生器４を囲繞する。送風機２及びイオン発生器４へ電力を供給する電源コード８に接続されているプラグ８１が着脱自在に接続されるレセプタクル７３を備え、レセプタクル７３は、プラグ８１を差し込む差込口が囲繞壁である下部側壁５１の壁面に設けてある。これにより、レセプタクル７３にプラグ８１を取り付けた状態では、囲繞壁の開口からイオン発生器４を入れ難くしてあり、プラグ８１を取り外してからイオン発生器４の装着作業を行うことにより、イオン発生器４の着脱作業中におけるイオン発生を防止する。
【００４５】
また、本実施形態においては、イオン発生器４を固定する螺子４５の頭が囲繞壁の周面に臨むように配してある。これにより、螺子４５の頭が、下部側壁５１の壁面に設けてあるレセプタクル７３の差込口に差し込まれたプラグ８１に対向して回し難くしてあり、プラグ８１を取り外してから、螺子４５を弛めてイオン発生器４を抜脱する作業を行うことにより、イオン発生器４の着脱作業中におけるイオン発生を防止する。
【００４６】
なお、本発明は、本実施の形態だけに限ることなく、特許請求の範囲に記載された発明の技術的範囲及びそれと均等な範囲に及ぶものとする。
【符号の説明】
【００４７】
１  空気調和装置
２  送風機
３２  後側壁（壁）
４  イオン発生器（帯電粒子発生器）
４３  引掛部
４５  螺子
５１  下部側壁（当接部、囲繞壁）
５２  上部側壁（囲繞壁）
５３  左右側壁（囲繞壁）
５４  可撓片
５４ｂ  係止突部
５５  凹部
６３ａ  吹出口
７２  制御回路
７３  レセプタクル
８  電源コード
８１  プラグ
【図１】
0005836553.tif 000002
【図２】
0005836553.tif 000003
【図３】
0005836553.tif 000004
【図４】
0005836553.tif 000005
【図５】
0005836553.tif 000006
【図６】
0005836553.tif 000007
【図７】
0005836553.tif 000008
【図８】
0005836553.tif 000009
【図９】
0005836553.tif 000010
【図１０】
0005836553.tif 000011
【図１１】
0005836553.tif 000012
【図１２】
0005836553.tif 000013